(57)【要約】【課題】品質性能を向上させることができると共に、小型化を図ることができる整流子モータの回転子を提供することを課題とする。【解決手段】複数のスロット１を有する鉄芯２と、スロット１に巻装収納された巻線と、鉄芯２の中心を軸方向に貫通固定された回転軸３と、鉄芯２と間隔を有して回転軸３に固定されると共に、巻線端部４が電気的に接続された整流子５と、鉄芯２側から整流子５側に向けて突出形成された突出部６、１２とを備える。【選択図】        図１
2004343971.tif 000002
【特許請求の範囲】
【請求項１】
複数のスロットを有する鉄芯と、スロットに巻装収納された巻線と、鉄芯の中心を軸方向に貫通固定された回転軸と、鉄芯と間隔を有して回転軸に固定されると共に、巻線端部が電気的に接続された整流子と、鉄芯側から整流子側に向けて突出形成された突出部とを備えたことを特徴とする整流子モータの回転子。
【請求項２】
前記突出部は、整流子より大径の環状に突出する突出壁で構成されていることを特徴とする請求項１記載の整流子モータの回転子。
【請求項３】
前記突出壁は、整流子に電気的に接続される巻線端部を保持する切欠部をスロットの数以上有することを特徴とする請求項２記載の整流子モータの回転子。
【請求項４】
前記切欠部は、スロットの数と同数設けられていることを特徴とする請求項３記載の整流子モータの回転子。
【請求項５】
前記突出部は、整流子より大径の環状に分散するスロットの数以上の棒体で構成されていることを特徴とする請求項１記載の整流子モータの回転子。
【請求項６】
前記棒体は、スロットの数と同数設けられていることを特徴とする請求項５記載の整流子モータの回転子。
【請求項７】
前記突出部は、絶縁体で形成されていることを特徴とする請求項１乃至請求項６記載の整流子モータの回転子。
【請求項８】
前記突出部は、鉄芯の整流子側に位置し、鉄芯と巻線とを絶縁する絶縁体と一体に形成されていることを特徴とする請求項１乃至請求項６記載の整流子モータの回転子。
【発明の詳細な説明】
【０００１】
【発明の属する技術分野】
本発明は、整流子モータに関し、特に小型整流子モータの回転子の構造に関する。
【０００２】
【従来の技術】
この種の整流子モータの回転子においては、整流子モータを小型化するためには、回転軸に圧入固定される鉄芯と整流子との間隔をできる限り小さくすることが好ましい。
しかし、整流子を鉄芯に近づけすぎると、鉄芯のスロットに巻装収納する巻線の配線作業が困難になるため、一旦、整流子を鉄芯から離した位置で仮固定し、巻線の配線作業終了後に整流子を鉄芯近傍位置まで再圧入していた。
そうすれば、整流子の再圧入時、巻線と整流子とを電気的に接続している巻線端部に弛みが生じ、弛んだ巻線端部がブラシに接触する等の問題が発生する虞があるため、回転軸の鉄芯と整流子間に、鉄芯側に向かうに従って大径となる絶縁体の保持部を配設すると共に、巻線端部を整流子の周方向にひねる、所謂、ひねり巻線方式で配線することにより、整流子の再圧入時に発生する巻線端部の弛みを、鉄芯方向に拡開する保持部に沿わせて吸収し、巻線端部の弛みを防止するものが知られている。（例えば、特許文献１参照）
【０００３】
【特許文献１】
特開平１１−２６２２２１号公報（第３頁、第１図）
【０００４】
【発明が解決しようとする課題】
しかしながら、整流子を再圧入する際、巻線端部が整流子と保持部間にかみ込まれて断線する虞があった。
また、整流子を再圧入する際、巻線端部が保持部の鉄芯側の大径部に沿わずに、保持部の整流子側の小径部に沿って配線される場合があり、この場合には、巻線端部に弛みが生じ、弛んだ巻線端部がブラシに接触する等の問題が発生する虞があった。
【０００５】
本発明はこのような課題を解決するためになされたものであり、簡単な構成により品質性能を向上させることができると共に、小型化を図ることができる整流子モータの回転子を提供することを課題とする。
【０００６】
【課題を解決するための手段】
上記課題を解決するための手段は、複数のスロットを有する鉄芯と、スロットに巻装収納された巻線と、鉄芯の中心を軸方向に貫通固定された回転軸と、鉄芯と間隔を有して回転軸に固定されると共に、巻線端部が電気的に接続された整流子と、鉄芯側から整流子側に向けて突出形成された突出部とを備えたことを特徴とする。
【０００７】
上記課題を解決するための手段において、前記突出部は、整流子より大径の環状に突出する突出壁で構成されていることが好ましい。
【０００８】
上記課題を解決するための手段において、前記突出壁は、整流子に電気的に接続される巻線端部を保持する切欠部をスロットの数以上有することが好ましい。
【０００９】
上記課題を解決するための手段において、前記切欠部は、スロットの数と同数設けられていることが好ましい。
【００１０】
上記課題を解決するための手段において、前記突出部は、整流子より大径の環状に分散するスロットの数以上の棒体で構成されていることが好ましい。
上記課題を解決するための手段において、前記棒体は、スロットの数と同数設けられていることが好ましい。
【００１１】
上記課題を解決するための手段において、前記突出部は、絶縁体で形成されていることが好ましい。
【００１２】
上記課題を解決するための手段において、前記突出部は、鉄芯の整流子側に位置し、鉄芯と巻線とを絶縁する絶縁体と一体に形成されていることが好ましい。
【００１３】
【発明の実施の形態】
（第１実施形態）
本発明に係る整流子モータの回転子の第１実施形態を図１乃至図３に基づいて説明する。
【００１４】
本発明の回転子は、複数のスロット１が形成された略円柱形状の鉄芯２と、スロット１に巻装収納される図示しない巻線と、鉄芯２の中心を軸方向に貫通固定される回転軸３と、回転軸３に圧入固定され、巻線端部４が電気的に接続される略円柱形状の整流子５と、鉄芯２側から整流子５側に向かって突出する突出部として形成された突出壁６とから構成されている（図１、図２参照）。
【００１５】
鉄芯２は、略円弧状の複数のコア片７を有する平板状のコア８を、複数枚圧入積層することにより形成されている。そして、コア片７間には巻線を巻装収納するスロット１が形成される。
また、鉄芯２を挟み込むようにして鉄芯２の両端には、コア８と略同形状の絶縁体で形成された絶縁板９が圧入固定されている。さらに、整流子５側に位置する絶縁板９には、整流子５より大径の環状に形成された突出壁６が、整流子５側に向けて突出している（図３参照）。
【００１６】
鉄芯２と図示しない巻線との絶縁は、スロット１内に配設される図示しない樹脂製のフィルムと、鉄芯２を挟み込むようにして鉄芯２の両端に圧入固定される絶縁板９（図３参照）によりなされている。
【００１７】
整流子５は、鉄芯２のコア片７と同数の接触片１０を有しており、スロット１に巻装収納された巻線の巻線端部４は、各々一対一で対応する整流子５の接触片１０に電気的に接続される。
【００１８】
このように構成された回転子は、鉄芯２を圧入した回転軸３に整流子５を圧入する際、一端、整流子５を鉄芯２から離した位置に仮固定する。（図１参照）。
この状態で、図示しない巻線を鉄芯２のスロット１に巻装収納すると共に、巻線端部４を整流子５に電気的に接続する。最後に、整流子５を鉄芯２近傍位置まで再圧入して回転子の組立てが終了する（図２、図３参照）。
この時、本実施の形態においては、図３に示す如く、巻線端部４は突出壁６先端に当接して屈曲し突っ張るため、巻線端部４に弛みが生じることはなく、弛んだ巻線端部４が図示しないブラシに接触する等の不具合が生じることはない。
また、突出壁６は、整流子５より大径の環状に形成されているため、整流子５は、突出壁６に接触することなく鉄芯２により近接させることができ、整流子モータの回転子の小型化をさらに図ることができる。
さらに、突出壁６は、鉄芯２と巻線とを絶縁するために、鉄芯２の整流子５側に位置する絶縁板９と一体に形成されているため、新たな部品を追加することなく構成を簡素化して巻線端部４の弛みを防止することができると共に、巻線端部４の巻線自身の絶縁が劣化した場合でも、突出壁６が絶縁体で形成されているため、巻線端部４と突出壁６との短絡を防止することができる。
また、突出壁６は、環状に形成されているため、巻線端部４の配線位置に関係なく、整流子５の再圧入時の巻線端部４の弛みを確実に防止することができる。
尚、本実施形態においては、突出壁６を、絶縁板９と一体に形成したが、これに限定されるものではなく、絶縁体の突出壁６を、絶縁板９と別体に形成してもよい。
また、本実施形態においては、突出壁６は絶縁体により形成されているが、巻線端部４の弛みを防止する目的を達成するためには、必ずしも突出壁６が絶縁体である必要はない。
（第２実施形態）
図４は、本発明に係る整流子モータの回転子の第２実施形態を示している。尚、第１実施形態と同一部品については、同一符号を付して説明を省略する。
第１実施形態においては、突出部として整流子５より大径の環状の突出壁６を形成することにより、巻線端部４の弛みを防止する構成であったが、本実施形態においては、第１実施形態の環状の突出壁６に、鉄芯２側から整流子５側に向かって突出する突出部としてスロット１と同数の切欠部１１を設けた構成になっている。
この構成により、スロット１に巻装収納された図示しない巻線から、整流子５に電気的に接続する巻線端部４を、切欠部１１により保持させることができ、整流子５を再圧入した際、巻線端部４の弛みを防止することができる。
また、切欠部１１は、スロット１と同じ数だけ設けられているため、スロット１に巻装収納された図示しない巻線から整流子５に電気的に接続される巻線端部４を、各々一対一対応で切欠部１１により保持することができ、巻線端部４相互の接触が防止され、巻線端部４の巻線自身の絶縁が劣化した場合でも、巻線端部４相互の短絡を防止することができる。
尚、本実施形態においては、切欠部１１をスロット１と同じ数だけ設けることにより、切欠部１１の数を必要最低限にして構成を簡素化したが、これに限定されるものではなく、切欠部１１をスロット１の数以上設ければよい。この場合でも、上述した本実施の形態と同様な作用効果を奏する。
（第３実施形態）
図５乃至図７は、本発明に係る整流子モータの回転子の第３実施形態を示している。尚、第１実施形態と同一部品については、同一符号を付して説明を省略する。
第１実施形態においては、突出部として整流子５より大径の環状の突出壁６を形成することにより、巻線端部４の弛みを防止する構成であったが、本実施形態においては、鉄芯２側から整流子５側に向かって突出する突出部として整流子５より大径の環状に分散する棒体１２を、スロット１の数だけ配置した構成になっている。
この構成により、整流子５に電気的に接続される巻線端部４を棒状１２間に配線し、整流子５を回転させながら再圧入すると、巻線端部４は、棒体１２の側面に当接して屈曲し突っ張るため（図７参照）、巻線端部４の弛みを防止することができる。
また、棒体１２は、スロット１と同じ数だけ設けられているため、スロット１に巻装収納された図示しない巻線から整流子５に電気的に接続される巻線端部４を、各々が一対一対応で棒体１２により保持することができ、巻線端部４相互の接触が防止され、巻線端部４の巻線自身の絶縁が劣化した場合でも、巻線端部４相互の短絡を防止することができる（図７参照）。
尚、本実施形態においては、棒体１２をスロット１と同じ数だけ設けることにより、棒体１２の数を必要最低限にして構成を簡素化したが、これに限定されるものではなく、棒体１２をスロット１の数以上設ければよい。この場合でも、上述した本実施形態と同様な作用効果を奏する。
第１実施形態または第２実施形態は、鉄芯２側から整流子５側に向かって突出する突出部として突出壁６または切欠部１１を設け、巻線端部４を回転軸３の軸方向に屈曲させて突っ張らせることにより、整流子５の再圧入時の巻線端部４の弛みを防止したものである。
また、第３実施形態は、鉄芯２側から整流子５側に向かって突出する突出部として棒体１２を設け、巻線端部４を回転軸３の回転方向に屈曲させて突っ張らせることにより、整流子５の再圧入時の巻線端部４の弛みを防止したものである。
即ち、本発明の、鉄芯２側から整流子５側に向かって突出する突出部とは、突出部により巻線端部４を回転軸３の軸方向に屈曲させて突っ張らせることができるもの、または、突出部により巻線端部４を回転軸３の回転方向に屈曲させて突っ張らせることができるものであればよい。
【００１９】
【発明の効果】
本発明の請求項１の構成によれば、巻線端部の弛みを突出部により防止することができ、弛んだ巻線端部がブラシに接触する等の不具合を防止することができると共に、整流子モータの回転子の小型化を図ることができる等の効果を奏する。
本発明の請求項２の構成によれば、整流子を、突出壁に接触することなく、鉄芯にさらに近接させることができ、整流子モータの小型化をさらに図ることができると共に、巻線端部の配線位置に関係なく、巻線端部を軸方向に屈曲させて突っ張らせる環状の突出壁により巻線端部の弛みを防止することができ、弛んだ巻線端部がブラシに接触する等の不具合を防止することができる等の効果を奏する。
【００２０】
本発明の請求項３の構成によれば、切欠部により巻線端部の弛みを防止することができ、弛んだ巻線端部がブラシに接触する等の不具合を防止することができると共に、巻線端部の巻線自身の絶縁が劣化した場合でも、巻線端部相互の短絡を切欠部により防止することができる等の効果を奏する。
【００２１】
本発明の請求項４の構成によれば、構成を簡素化して、切欠部により巻線端部の弛みを防止することができ、弛んだ巻線端部がブラシに接触する等の不具合を防止することができると共に、巻線端部の巻線自身の絶縁が劣化した場合でも、巻線端部相互の短絡を切欠部により防止することができる等の効果を奏する。
【００２２】
本発明の請求項５の構成によれば、巻線端部を軸の回転方向に屈曲させて突っ張らせる棒体により巻線端部の弛みを防止することができ、弛んだ巻線端部がブラシに接触する等の不具合を防止することができると共に、巻線端部の巻線自身の絶縁が劣化した場合でも、巻線端部相互の短絡を棒体により防止することができる等の効果を奏する。
【００２３】
本発明の請求項６の構成によれば、簡単な構成により、棒体により巻線端部の弛みを防止することができ、弛んだ巻線端部がブラシに接触する等の不具合を防止することができると共に、巻線端部の巻線自身の絶縁が劣化した場合でも、巻線端部相互の短絡を棒体により防止することができる等の効果を奏する。
【００２４】
本発明の請求項７の構成によれば、突出部を絶縁体で構成することにより、巻線端部の巻線自身の絶縁が劣化した場合でも、巻線端部と突出部との短絡を防止することができる等の効果を奏する。
【００２５】
本発明の請求項８の構成によれば、鉄芯と巻線とを絶縁する絶縁体と一体に突出部を形成することにより、巻線端部の巻線自身の絶縁が劣化した場合でも、巻線端部と突出部との短絡を防止することができると共に、新たな部品を追加する必要もなく構成を簡素化することができる等の効果を奏する。
【図面の簡単な説明】
【図１】本発明の第１実施の形態の整流子モータの回転子の斜視図で、整流子を仮固定した状態を示す。
【図２】同整流子モータの回転子の斜視図で、整流子を再圧入した状態を示す。
【図３】同整流子モータの回転子の整流子を再圧入した状態の側断面図である。
【図４】本発明の第２実施の形態の整流子モータの回転子の斜視図である。
【図５】本発明の第３実施の形態の整流子モータの回転子の斜視図で、整流子を仮固定した状態を示す。
【図６】同整流子モータの回転子の斜視図で、整流子を再圧入した状態を示す。
【図７】同整流子モータの回転子の上断面図で、巻線端部の状態を示す。
【符号の説明】
１      スロット
２      鉄芯
３            回転軸
４            巻線端部
５      整流子
６      突出壁（突出部）
１２    棒体（突出部）
【図１】
2004343971.tif 000003
【図２】
2004343971.tif 000004
【図３】
2004343971.tif 000005
【図４】
2004343971.tif 000006
【図５】
2004343971.tif 000007
【図６】
2004343971.tif 000008
【図７】
2004343971.tif 000009